(57)【要約】【課題】シールド電線の取り扱いを容易にする。【解決手段】シールド電線４０を、導体４１を絶縁性のコア４２で被覆するとともに、そのコア４２の外周に筒状のシールド層４３を被せることでそのシールド層４３を露出させた形態とし、そのシールド電線４０のうち少なくともシールド層４３の露出部を収容するコルゲートチューブ４５（保護部材）とゴムブーツ４６（保護部材）を設けた。シールド電線４０にはシールド層４３を保護するためのシースは設けられていないのであるが、シールド電線４０はコルゲートチューブ４５及びゴムブーツ４６内に収容されることによって保護される。シールド電線４０からシースをなくしたので、シースの分だけシールド電線４０が小径化及び軽量化されるとともに、曲げ剛性が低くなる。【選択図】  図１
2004164958.tif 000002
【特許請求の範囲】
【請求項１】
シールド電線の導体の端部に電線側端子を固着し、その電線側端子を、機器のシールドケース内に設けた機器側端子に接続するとともに、前記シールド電線のシールド層を前記シールドケースに接続するようにしたものであって、
前記シールド電線を、前記導体を絶縁性のコアで被覆するとともに、そのコアの外周に筒状の前記シールド層を被せることでそのシールド層を露出させた形態とし、
そのシールド電線のうち少なくとも前記シールド層の露出部を収容する保護部材を設けたことを特徴とするシールド機能を備えた導電路。
【請求項２】
前記電線側端子を電線側ハウジングに保持させるとともに、この電線側ハウジングを前記シールドケースに設けた取付孔に嵌合させたことを特徴とする請求項１記載のシールド機能を備えた導電路。
【請求項３】
前記電線側ハウジングの外部において前記シールド層を導電性の接続部材に接続するとともに、その接続部材を前記シールドケースに取り付け、
前記電線側ハウジングに前記コアを挿入するとともに、前記電線側ハウジングと前記コアとの間にシール部材を設けたことを特徴とする請求項２記載のシールド機能を備えた導電路。
【請求項４】
前記接続部材と前記電線側ハウジングとを仮係止する仮係止手段を設けたことを特徴とする請求項３記載のシールド機能を備えた導電路。
【請求項５】
前記接続部材と前記電線側ハウジングを前記シールドケースに組み付けた状態では、前記接続部材が前記電線側ハウジングに対して組付け方向後方から当接する構成としたことを特徴とする請求項３又は請求項４に記載のシールド機能を備えた導電路。
【請求項６】
前記機器側端子を機器側ハウジングに保持させるとともに、この機器側ハウジングを前記取付孔内に設け、前記取付孔内において前記機器側ハウジングに前記電線側ハウジングを嵌合させることで前記機器側端子と前記電線側端子とを接続させる構成としたことを特徴とする請求項２乃至請求項５のいずれかに記載のシールド機能を備えた導電路。
【発明の詳細な説明】
【０００１】
【発明の属する技術分野】
本発明は、シールド機能を備えた導電路に関するものである。
【０００２】
【従来の技術】
例えば電気自動車におけるインバータ装置やモータなどの機器間を接続する手段としてシールド機能を備えた導電路が用いられる。この種の導電路としては、シールド電線の導体の端部に電線側端子を固着し、その電線側端子を、機器のシールドケース内に設けた機器側端子に接続するとともに、シールド電線のシールド層を導電性の接続部材を介してシールドケースに接続するようにしたものがある（例えば、特許文献１を参照）。
【０００３】
このシールド電線は、導体を絶縁性のコアで被覆するとともに、そのコアの外周に筒状のシールド層を被せ、更に、そのシールド層の外周を絶縁性合成樹脂製のシースで包囲した構造となっている。
【０００４】
【特許文献１】
特開平１１−２６０９３号公報
【０００５】
【発明が解決しようとする課題】
シールド電線が電気自動車の動力線として使用される場合には、大電流に耐え得るように導体の径を太くする必要があり、その結果、シールド電線は外径が太くなり、重量が重くなり、曲げ剛性が高くなることは避けられない。
【０００６】
しかしながら、このようなシールド電線では、配線やシールドケースとの接続作業などを行うに際して、取り扱い難く、作業性の低下を来たすという問題がある。
本願発明は上記事情に鑑みて創案され、シールド電線の取り扱いを容易にすることを目的としている。
【０００７】
【課題を解決するための手段】
請求項１の発明は、シールド電線の導体の端部に電線側端子を固着し、その電線側端子を、機器のシールドケース内に設けた機器側端子に接続するとともに、前記シールド電線のシールド層を前記シールドケースに接続するようにしたものであって、前記シールド電線を、前記導体を絶縁性のコアで被覆するとともに、そのコアの外周に筒状の前記シールド層を被せることでそのシールド層を露出させた形態とし、そのシールド電線のうち少なくとも前記シールド層の露出部を収容する保護部材を設けた構成とした。
【０００８】
請求項２の発明は、請求項１の発明において、前記電線側端子を電線側ハウジングに保持させるとともに、この電線側ハウジングを前記シールドケースに設けた取付孔に嵌合させた構成とした。
請求項３の発明は、請求項２の発明において、前記電線側ハウジングの外部において前記シールド層を導電性の接続部材に接続するとともに、その接続部材を前記シールドケースに取り付け、前記電線側ハウジングに前記コアを挿入するとともに、前記電線側ハウジングと前記コアとの間にシール部材を設けた構成とした。
【０００９】
請求項４の発明は、請求項３の発明において、前記接続部材と前記電線側ハウジングとを仮係止する仮係止手段を設けた構成とした。
請求項５の発明は、請求項３又は請求項４の発明において、前記接続部材と前記電線側ハウジングを前記シールドケースに組み付けた状態では、前記接続部材が前記電線側ハウジングに対して組付け方向後方から当接する構成とした。
請求項６の発明は、請求項２乃至請求項５のいずれかの発明において、前記機器側端子を機器側ハウジングに保持させるとともに、この機器側ハウジングを前記取付孔内に設け、前記取付孔内において前記機器側ハウジングに前記電線側ハウジングを嵌合させることで前記機器側端子と前記電線側端子とを接続させる構成とした。
【００１０】
【発明の作用及び効果】
［請求項１の発明］
シールド電線にはシールド層を保護するためのシースは設けられていないのであるが、シールド電線は保護部材内に収容されることによって保護される。このように本願発明によれば、シールド電線からシースをなくしたので、シースの分だけシールド電線が小径化及び軽量化されるとともに、曲げ剛性が低くなる。
［請求項２の発明］
電線側端子を電線側ハウジングに保持させ、その電線側ハウジングをシールドケースの取付孔に嵌合したことにより、電線側端子をシールドケース及び機器側端子に対して位置決めすることができ、双方の端子同士の接続に際して作業性が向上する。
【００１１】
［請求項３の発明］
シールド電線の端末におけるシールド処理構造（シールド層と接続部材との接続構造）と、シールド電線と電線側ハウジングとの間の防水構造（コアと電線側ハウジングとの間にシール部材を設ける構造）とを、電線側ハウジングの外部と内部とに分けたので、これらの構造の簡素化が可能である。
［請求項４の発明］
接続部材と電線側ハウジングとを一体化させた状態で取り扱うことができるので、シールドケースに対する組付けなどの際の作業性がよくなる。
【００１２】
［請求項５の発明］
接続部材が電線側ハウジングを抜け止めする手段を兼ねるので、電線側ハウジングを抜止めするための手段が不要となり、構造の簡素化が可能である。
［請求項６の発明］
機器側端子と電線側端子との接続は、機器側ハウジングと電線側ハウジングとを嵌合させるだけで済むので、端子同士を面倒なボルト締め作業によって接続する必要がなく、作業性に優れる。また、端子同士をボルト締めによって接続する場合には、ボルト締めの後で端子同士の接続部分に保護のためのカバーを被せる必要があるが、本発明によれば、双方の端子は取付孔の内部に収容された状態となるので、カバーを被せる必要もない。
【００１３】
【発明の実施の形態】
［実施形態１］
以下、本発明を具体化した実施形態１を図１乃至図９を参照して説明する。
本実施形態のシールド機能を備えた導電路Ａは、シールド電線４０の導体４１の端末部に電線側コネクタ５０を接続したものであって、シールド電線４０のシールド層４３が機器１０（例えば、電気自動車のインバータ装置）のシールドケース１１に接続されるとともに、電線側コネクタ５０の電線側端子７０がシールドケース１１内の機器側端子２６に接続されるようになっている。
【００１４】
機器１０は、導電性のシールドケース１１の内部に機器本体（図示せず）を収容するとともに、同じくシールドケース１１内に、機器本体に接続された機器側コネクタ２０を収容して構成される。シールドケース１１の側壁上端部には、前後方向に貫通する左右３つの円形の取付孔１２が一定ピッチで形成されている。シールドケース１１の外面には、３つの取付孔１２の開口領域及びその周縁領域を外側へ突出させた形態の膨出部１３が形成されている。膨出部１３の外周は平面と曲面を滑らかに連続させることによって比較的単純な形状（例えば、長円形、角が弧状に丸められた長方形、角が弧状に丸められた台形など）をなし、膨出部１３の突出端面（図１及び図２における左端面）には、３つの取付孔１２が開口されているとともに、各取付孔１２に対して斜め下方に位置する３つの雌ネジ孔（図示せず）が開口されている。
【００１５】
機器側コネクタ２０は、合成樹脂製の機器側ハウジング２１と３つの機器側端子２６を備えている。機器側ハウジング２１は、単一部品からなり、左右方向に細長い略長円形の連結部２２と、この連結部２２から前方（図１の左方）へ突出する左右３つの略円柱形をなす嵌合部２３とからなる。連結部２２には、その後端面から各嵌合部２３と同軸状に後方へ突出する左右３つの筒部２４が形成されているとともに、左右両端部から側方へ突出する左右一対の板状取付部２５が形成されている。機器側ハウジング２１の内部には、各嵌合部２３及び各筒部２４と対応する３つの機器側端子２６がインサート成形により埋設されている。機器側端子２６は、嵌合部２３を前後に貫く端子本体２７と、この端子本体２７から前方に突出するとともに嵌合部２３の前端部の嵌合凹部２３Ｆ内に臨むタブ２８と、端子本体２７から後方へ突出して筒部２４に臨む機器接続部２９とからなり、機器接続部２９には機器本体から延びたケーブル等の導電部材が接続される。また、各嵌合部２３の外周にはシールリング３０が装着されている。
【００１６】
かかる機器側コネクタ２０は、各嵌合部２３を取付孔１２に対してシールドケース１１の内側から緊密に嵌合させるとともに、連結部２２と板状取付部２５をシールドケース１１の内面に当接させた状態でシールドケース１１に組み付けられ、板状取付部２５のボルト孔２５Ｈに貫通させたボルト（図示せず）によりシールドケース１１に組み付けられる。組み付け状態では、各取付孔１２内において、嵌合凹部２３Ｆとその内部のタブ２８が電線側コネクタ５０及び電線側端子７０との接続に備えて待機する。また、取付孔１２と嵌合部２３との隙間はシールリング３０によって防水される。
【００１７】
シールド電線４０は、導体４１の外周を絶縁性樹脂材からなるコア４２で包囲し、そのコア４２の外周に、金属細線をメッシュ状に編み込んだ筒状のシールド層４３を被せるように設けて構成されており、シールド電線４０はその全長に亘ってシールド層４３が露出した状態となっている。シールド電線４０の端末部においては、シールド層４３の端部が短く切断されてコア４２の端部が露出され、さらにそのコア４２の端末部が除去されることによって導体４１の端部が露出された状態となっている。シールド電線４０は、３本一纏めに束ねられた状態で配索されている。
【００１８】
かかるシールド電線４０のうち端部を除いた大部分は、コルゲートチューブ４５（本発明の構成要件である保護部材）内に挿通されるようになっている。さらに、シールド電線４０の端部は、ゴムブーツ４６（本発明の構成要件である保護部材）によって包囲されるようになっている。コルゲートチューブ４５は、合成樹脂製であり、全体として円筒形の蛇腹状をなし、シールド電線４０を内部に収容した状態でそのシールド電線４０の配索経路に沿って柔軟に変形し得るようになっている。ゴムブーツ４６は、全体として筒状をなすとともに前方に向かって幅広となる形状をなしている。ゴムブーツ４６の前端部は、シールドケース１１の膨出部１３に外嵌される大径外嵌部４７となっており、その内周には、周方向に延びるリップ部４８が形成されている。一方、ゴムブーツ４６の後端部は、コルゲートチューブ４５の端部に外嵌される円形の小径外嵌部４９となっており、その内周には、コルゲートチューブ４５の外周形状に整合する凹凸部が形成されている。
【００１９】
電線側コネクタ５０は、電線側ハウジング５１と、ブラケット６０（本発明の構成要件である接続部材）と、電線側端子７０とを備えて構成されている。電線側ハウジング５１は、合成樹脂製であり、全体として概ね円筒状をなす。電線側ハウジング５１の内部には、その前後両端面間に貫通される円形のキャビティ５２が形成されており、このキャビティ５２の前端部下面側には電線側端子７０を抜止めするためのランス５３が形成されている。電線側ハウジング５１の外周後端部には、後方へ片持ち状に延出する３つの弾性係止片５４（本発明の構成要件である仮係止手段）と、この弾性係止片５４を内周側及び周方向両側から保護するように後方へ片持ち状に突出する３つの保護片５５とが、夫々、周方向に間隔を空け且つ電線側ハウジング５１の後端面よりも更に後方へ突出した形態で形成されている。電線側ハウジング５１の外周に形成したシール溝５６にはシール部材５７が装着されている。
【００２０】
ブラケット６０は、金属等の導電性材料からなり、全体として概ね卵形の板状をなしている。ブラケット６０には、キャビティ５２よりも小径の円形をなす中心孔６１が前後方向に貫通して形成されているとともに、この中心孔６１に対して偏心した位置にボルト孔６２が前後に貫通して形成されている。さらに、ブラケット６０には、中心孔６１と同心の円に沿った３つの係止孔６３（本発明の構成要件である仮係止手段）が、上記弾性係止片５４及び保護片５５と対応するように形成されている。
【００２１】
このブラケット６０は、下敷きパイプ６４とカシメリング６５を介すことによりシールド電線４０のシールド層４３に対して導通可能に接続されている。即ち、シールド層４３の前端部とコア４２の外周との隙間には、その前方から導電性の下敷きパイプ６４の後端部が差し込まれているとともに、シールド層４３の前端部には導電性のカシメリング６５が外嵌されていて、このカシメリング６５を内周側へカシメ付けることにより、シールド層４３の前端部が下敷きパイプ６４とカシメリング６５との間で挟圧された状態に固定されている。また、下敷きパイプ６４は、予めブラケット６０の中心孔６１に対して前方から挿通されていて、前端部の鍔部６４Ｆをブラケット６０の前面に係止させることによりブラケット６０に対する後方への抜けが規制されているとともに、中心孔６１の内周に嵌合されることによりブラケット６０に対する径方向の遊動が規制されている。そして、この下敷きパイプ６４の前端部及び鍔部６４Ｆがブラケット６０の中心孔６１の内周及び前面に当接することで、シールド層４３が下敷きパイプ６４を介してブラケット６０に導通可能に接続される。尚、カシメリング６５とそれよりも前方の領域及び後方の領域には、ゴムリング６６が外嵌されている。
【００２２】
電線側端子７０は、全体として前後方向に細長く、その略前半部分には機器側端子２６のタブ２８に接続される概ね角筒状をなす機器接続部７１が形成され、この機器接続部７１の内部には弾性接触片７２が設けられているとともに、機器接続部７１の下面にはランス孔７３が形成されている。一方、電線側端子７０の略後半部分は電線圧着部７４とされ、この電線圧着部７４には、シールド電線４０の導体４１のうちコア４２から露出した前端部が圧着により導通可能に接続されている。
【００２３】
電線側コネクタ５０は、次のようにして組み付けられる。
まず、ブラケット６０の中心孔６１に対して後方からシールド電線４０を挿通させ、下敷きパイプ６４とカシメリング６５を介してシールド層４３の前端部をブラケット６０に接続する。次に、シールド電線４０のコア４２に対し前方からゴム製のシール部材５８を外嵌し、そのシール部材５８を下敷きパイプ６４の鍔部６４Ｆに当接させてブラケット６０の前面に押し付ける。シール部材５８はコア４２の外周に対して摩擦により遊動規制されている。この後、シールド電線４０の導体４１の前端部に電線側端子７０の電線圧着部７４を固着する。以上により、シールド電線４０の前端部に電線側端子７０が接続される。
【００２４】
次に、シールド電線４０、ブラケット６０及び電線側端子７０を電線側ハウジング５１に組み付ける。組み付けに際しては、電線側端子７０を後方からキャビティ５２に挿入する。正規位置まで深く挿入された電線側端子７０は、その機器接続部７１をキャビティ５２の前面壁に当接させることで前止まりされるとともに、ランス孔７３にランス５３が係止するることにより抜止めされる。また、コア４２に外嵌されているシール部材５８はキャビティ５２の後端部内周に密着し、これにより、キャビティ５２の内周とコア４２の外周との間が浸水規制状態にシールされる。
【００２５】
電線側端子７０をキャビティ５２に挿入するのに伴い、ブラケット６０が電線側ハウジング５１に対して後方から接近し、ブラケット６０の各係止孔６３に、夫々、電線側ハウジング５１の弾性係止片５４及び保護片５５が前方から貫通され、弾性係止片５４の後端の係止爪５４Ａが係止孔６３の外周側孔縁に対して後方から係止し、この弾性係止片５４と係止孔６３との係止により、ブラケット６０が電線側ハウジング５１に対して後方への離間が規制される。この係止状態では、ブラケット６０の前面が電線側ハウジング５１の後端面に対して後方から当接し、これにより、ブラケット６０が電線側ハウジング５１に対して前方へ相対変位することが規制される。つまり、ブラケット６０が電線側ハウジング５１に対して一体化された状態に係止される。この仮係止状態では、シール部材５８が鍔部６４Ｆとキャビティ５２のストッパ５２Ｓとの間で前後に挟み付けられ、そのシール部材５８の弾性反発力によって鍔部６４Ｆがブラケット６０に押し付けられ、下敷きパイプ６４とブラケット６０とが確実に接触するようになる。
【００２６】
電線側コネクタ５０の組み付けた済んだら、３本のシールド電線４０を俵積み状に束ねた状態でコルゲートチューブ４５内に収容する。コルゲートチューブ４５にはその長さ方向に沿った割溝（図示せず）が形成されており、この割り溝を拡げることによってシールド電線４０を内部に収容することができる。また、ゴムブーツ４６を３本のシールド電線４０の端末部に被せるが、このとき、ゴムブーツ４６はその後端部の小径外嵌部４９を弾性的に拡開させつつ３つの電線側端子７０を挿通させるようにすればよい。ゴムブーツ４６の小径外嵌部４９をコルゲートチューブ４５の前端部に外嵌させることにより、コルゲートチューブ４５とゴムブーツ４６とが一体化されてシールド電線４０をその全長に亘って包囲する。
【００２７】
かかる電線側コネクタ５０の電線側ハウジング５１は、シールドケース１１の各取付孔１２に、夫々、嵌入される。取付孔１２の内部では、予め機器側ハウジング２１が待ち受けており、ブラケット６０がシールドケース１１の外面に当接する状態まで十分深く電線側ハウジング５１が嵌入されると、その前端部が、機器側ハウジング２１の嵌合凹部２３Ｆに嵌合されるとともに、タブ２８が電線側端子７０の機器接続部７１内に進入して弾性接触片７２と弾性接触することで両端子２６，７０が導通可能に接続される。
【００２８】
電線側ハウジング５１を取付孔１２に嵌入した状態では、ブラケット６０のボルト孔６２がシールドケース１１の雌ネジ孔に整合しており、ボルト孔６２に貫通したボルト６９を雌ネジ孔に螺合して締め付けることにより、ブラケット６０がシールドケース１１の外壁面に対して導通可能に接続された状態で固定され、ひいては、シールド電線４０のシールド層４３がシールドケース１１に対して導通可能に接続される。また、ブラケット６０は電線側ハウジング５１の後端面に当接しているので、電線側ハウジング５１が取付孔１２から外方（後方）へ抜け出すことが規制される。
【００２９】
さらに、ゴムブーツ４６の前端の大径外嵌部４７をシールドケース１１の膨出部１３に外嵌させ、その外周にリップ部４８を弾性接触させる。これにより、ブラケット６０とシールド層４３との間の接続部分が防水された状態となる。尚、取付孔１２の内周と電線側ハウジング５１の外周との間はシール部材５７によって防水される。
上述のように本実施形態においては、シールド電線４０にはシールド層４３を保護するためのシースは設けられていないのであるが、シールド電線４０の全長（シールド電線４０のうち少なくともシールド層４３の露出領域）をコルゲートチューブ４５とゴムブーツ４６内に収容して保護するようにしている。このように本実施形態によれば、シールド電線４０からシースをなくすことが可能となっているので、シースの分だけシールド電線４０が小径化及び軽量化されるとともに、曲げ剛性が低くすることが実現されている。
【００３０】
また、電線側端子７０を電線側ハウジング５１に保持させ、その電線側ハウジング５１をシールドケース１１の取付孔１２に嵌合したので、電線側端子７０をシールドケース１１及び機器側端子２６に対して径方向及び前後方向において位置決めすることができるようになっており、これにより、双方の端子２６，７０同士の接続に際して作業性が向上している。
また、電線側ハウジング５１の後方外部においてシールド層４３をブラケット６０に接続するとともに、そのブラケット６０をシールドケース１１に取り付け、電線側ハウジング５１にコア４２の前端部を挿入するとともに、電線側ハウジング５１とコア４２との間にシール部材５８を設けた。つまり、シールド電線４０の端末におけるシールド処理構造（シールド層４３とブラケット６０との接続構造）と、シールド電線４０と電線側ハウジング５１との間の防水構造（コア４２と電線側ハウジング５１との間にシール部材５８を設ける構造）とを、電線側ハウジング５１の外部と内部とに分けたので、これらの構造の簡素化が実現されている。
【００３１】
また、ブラケット６０と電線側ハウジング５１とを仮係止する仮係止手段として弾性係止片５４と係止孔６３とを設けたので、ブラケット６０と電線側ハウジング５１とを一体化させた状態で取り扱うことができ、シールドケース１１に対する組付けなどの際の作業性がよくなっている。
また、ブラケット６０と電線側ハウジング５１をシールドケース１１に組み付けた状態では、ブラケット６０が電線側ハウジング５１に対して組付け方向後方から当接する構成とし、ブラケット６０が電線側ハウジング５１を抜け止めする手段を兼ねるようになっている。これにより、電線側ハウジング５１を抜止めするための手段が不要となり、構造の簡素化が実現されている。
【００３２】
また、機器側端子２６を機器側ハウジング２１に保持させるとともに、この機器側ハウジング２１を取付孔１２内に設け、取付孔１２内において機器側ハウジング２１に電線側ハウジング５１を嵌合させることで機器側端子２６と電線側端子７０とを接続させるようにしたので、機器側端子２６と電線側端子７０との接続は、機器側ハウジング２１と電線側ハウジング５１とを嵌合させるだけで済むようになっている。したがって、端子２６，７０同士を面倒なボルト締め作業によって直接接続する必要がなく、作業性に優れている。また、端子同士をボルト締めによって接続する場合には、ボルト締めの後で端子同士の接続部分に保護のためのカバーを被せる必要があるが、本実施形態によれば、双方の端子２６，７０は取付孔１２の内部に収容された状態となるので、保護のためのカバーを被せる必要もない。
【００３３】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では電線側端子を電線側ハウジングに収容したが、本発明によれば、電線側ハウジングを設けずに電線側端子をシールドケース内に直接挿入してもよい。この場合、シールドケースに電線側端子を保持する手段を設けるとともに、シールドケースの取付孔とシールド電線との間にシール部材を装着することができる。
【００３４】
（２）上記実施形態では１つの電線側ハウジングに複数の電線側端子を収容したが、本発明によれば、各電線側端子を夫々別個の電線側ハウジングに収容し、各電線側ハウジングを独立した取付孔に嵌合させるようにしてもよい。
（３）上記実施形態では機器側ハウジングを設けてその機器側ハウジングに機器側端子を収容したが、本発明によれば、機器側ハウジングを設けずに機器側端子を露出状態で設けるとともに、電線側端子を電線側ハウジングから突出させておき、双方の端子をボルト締めなどの手段によって接続してもよい。
【００３５】
（４）上記実施形態では電線側端子を電線側ハウジングに対して挿入することによって収容状態としたが、本発明によれば、インサート成形によって電線側端子と電線側ハウジングとを一体化させてもよい。
（５）上記実施形態では接続部材とシールド層との接続を電線側ハウジングの外部で行うようにしたが、本発明によれば、接続部材とシールド層との接続を電線側ハウジングの内部で行うこともできる。
【００３６】
（６）上記実施形態では接続部材と電線側ハウジングとを仮係止する手段を設けたが、本発明によれば、このような仮係止手段を設けない構成とすることもできる。
（７）上記実施形態では接続部材が電線側ハウジングを抜止めする機能を兼ね備える構成としたが、本発明によれば、電線側ハウジングを接続部材とは別の手段によって抜止めしてもよい。
【図面の簡単な説明】
【図１】実施形態１において組付け状態をあらわす水平断面図
【図２】組付け状態の縦断面図
【図３】電線側コネクタの拡大水平断面図
【図４】電線側コネクタの拡大縦断面図
【図５】電線側コネクタの正面図
【図６】電線側コネクタの背面図
【図７】機器側コネクタの水平断面図
【図８】機器側コネクタの縦断面図
【図９】機器側コネクタの正面図
【符号の説明】
１０…機器
１１…シールドケース
１２…取付孔
２１…機器側ハウジング
２６…機器側端子
４０…シールド電線
４１…導体
４２…コア
４３…シールド層
４５…コルゲートチューブ（保護部材）
４６…ゴムブーツ（保護部材）
５１…電線側ハウジング
５４…弾性係止片（仮係止手段）
５８…シール部材
６０…ブラケット（接続部材）
６３…係止孔（仮係止手段）
７０…電線側端子
【図１】
2004164958.tif 000003
【図２】
2004164958.tif 000004
【図３】
2004164958.tif 000005
【図４】
2004164958.tif 000006
【図５】
2004164958.tif 000007
【図６】
2004164958.tif 000008
【図７】
2004164958.tif 000009
【図８】
2004164958.tif 000010
【図９】
2004164958.tif 000011